(57)【要約】      （修正有）【課題】車椅子本体に取付けても見苦しくなることなく、簡単な操作で車輪の清掃作業ができ、かつ簡単に取り外すことができない一対のカバーから清掃具を容易に着脱させることができる車椅子を提供する。【解決手段】車椅子本体７と、この車椅子本体の両車輪５の外周部に、該両車輪との間隔をかえることができるようにレバー８を用いた位置調整機構９を介して、該車椅子本体のフレーム３に取付けられた一対のカバー１０、この一対のカバー１０の前記車輪側に着脱可能に取付けられた、該車輪を清掃する清掃具１１とからなる車輪清掃装置１２とで車椅子を構成している。【選択図】図１
0003180850.tif 000002
【実用新案登録請求の範囲】
【請求項１】
車椅子本体と、この車椅子本体の両車輪の外周部に、該両車輪との間隔をかえることができるようにレバーを用いた位置調整機構を介して、該車椅子本体のフレームに取付けられた一対のカバー、この一対のカバーの前記車輪側に着脱可能に取付けられた、該車輪を清掃する清掃具とからなる車輪清掃装置とを備えることを特徴とする車椅子。
【請求項２】
車輪清掃装置の一対のカバーは車輪の土よけとして使用できるように形成され、かつ車輪側に着脱可能に取付けられる清掃具は面ファスナーを用いたモップ、あるいはスポンジであることを特徴とする請求項１記載の車椅子。
【考案の詳細な説明】
【技術分野】
【０００１】
本考案は車椅子に関する。
【背景技術】
【０００２】
従来、車椅子を使用している人が外出する場合には、屋内から車椅子に乗ったまま屋外に出て、帰宅時には屋外から車椅子に乗ったまま屋内に入っていた。
【０００３】
このため、屋外から屋内へ入る場合、車椅子の使用者あるいは介護者が、外出により汚れた車椅子の車輪を清掃しなければならず、その清掃作業が大変で、苦労していた。
【０００４】
このため、建物の出入口の床面に車椅子の掃除機を設置することや、クリップで車椅子本体に車輪清掃具を取付けることも考えられているが、前者は公共施設で設置することができても、家庭では設置費や設置場所の関係で設置することができないという欠点があり、後者のクリップを用いるものは移動中に外れやすいとともに、車椅子が見苦しくなるという欠点があった。
【先行技術文献】
【特許文献】
【０００５】
【特許文献１】特開２００１−１０６０３６号公報
【特許文献２】特開２０００−１６６９７３号公報
【考案の概要】
【考案が解決しようとする課題】
【０００６】
本考案は以上のような従来の欠点に鑑み、車椅子本体に取付けても見苦しくなることなく、簡単な操作で車輪の清掃作業ができ、かつ簡単に取り外すことができない一対のカバーから清掃具を容易に着脱させることができる車椅子を提供することを目的としている。
【０００７】
本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。
【課題を解決するための手段】
【０００８】
上記目的を達成するために、本考案は車椅子本体と、この車椅子本体の両車輪の外周部に、該両車輪との間隔をかえることができるようにレバーを用いた位置調整機構を介して、該車椅子本体のフレームに取付けられた一対のカバー、この一対のカバーの前記車輪側に着脱可能に取付けられた、該車輪を清掃する清掃具とからなる車輪清掃装置とで車椅子を構成している。
【考案の効果】
【０００９】
以上の説明から明らかなように、本考案にあっては次に列挙する効果が得られる。
（１）請求項１により、レバーを用いた位置調整機構によって、一対のカバーに取付けられた清掃具を車輪に接触させて、車輪を回転させることにより、清掃具で車輪を清掃することができる。
（２）前記（１）により、屋外から屋内へ入る場合にだけ、清掃具を車輪に接触させればよいので、従来と同様に車椅子を使用することができる。
（３）前記（１）により、清掃具が汚れると、カバーより外して洗濯等で清掃具をきれいにして使用できる。
（４）前記（１）によって、車椅子本体のフレームにレバーを用いた位置調整機構を介して、一対のカバーが取付けられているので、簡単に外れることなく、安全に使用できるとともに、レバーの操作でカバーを移動させることができ、その操作が容易で、楽にできる。
（５）請求項２も前記（１）〜（４）と同様な効果が得られるとともに、一対のカバーが土よけとしても使用することができる。
【図面の簡単な説明】
【００１０】
【図１】本考案を実施するための第１の形態の側面図。
【図２】本考案を実施するための第１の形態の正面図。
【図３】本考案を実施するための第１の形態のカバーの取付け状態の説明図。
【図４】本考案を実施するための第１の形態の車輪清掃装置の説明図。
【図５】本考案を実施するための第１の形態の清掃している状態の説明図。
【図６】本考案を実施するための第２の形態の側面図。
【図７】本考案を実施するための第２の形態の正面図。
【図８】本考案を実施するための第２の形態の車輪清掃装置の説明図。
【図９】本考案を実施するための第３の形態の側面図。
【図１０】本考案を実施するための第３の形態の正面図。
【図１１】車輪清掃装置の説明図。
【考案を実施するための形態】
【００１１】
以下、図面に示す本考案を実施するための形態により、本考案を詳細に説明する。
【００１２】
図１ないし図５に示す本考案を実施するための第１の形態において、１は本考案の車椅子で、この車椅子１は椅子２のフレーム３、このフレーム３の両側後部に回転可能に取付けられたハンドル４、４を備える車輪５、５、前記フレーム３の前方下部に取付けられた補助輪６、６とからなる車椅子本体７と、この車椅子本体７の両車輪５、５の外周部に、該両車輪５、５の間隔をかえることができるレバー８、８を用いた位置調整機構９、９を介して、該車椅子本体７のフレーム３に取付けられた土よけとして使用できる一対のカバー１０、１０、この一対のカバー１０、１０の前記車輪５、５側に着脱可能に取付けられた、該車輪５、５を清掃するモップを用いた清掃具１１、１１とからなる車輪清掃装置１２、１２とで構成されている。
【００１３】
前記車輪清掃装置１２、１２の位置調整機構９、９は、前記フレーム３に枢支ピン１３で中央部よりも下部側が枢支されたレバー８と、このレバー８の先端部に枢支ピン１４で枢支された前記カバー１０の先端部の上面に取付けられた枢支金具１５と、前記カバー１０の後部寄りの上面に一端部が取付けられ、他端部が前記フレーム３に取付けられた吊り金具１６とで構成されている。
【００１４】
前記一対のカバー１０、１０に着脱可能に取付けられるモップを用いた清掃具１１、１１は、該一対のカバー１０、１０の内壁面に接着剤等で固定された一方の面ファスナー１７と、この一方の面ファスナー１７と着脱可能なモップを用いた清掃具１１の背面に接着あるいは縫着固定された他方の面ファスナー１８を用いて着脱できるように構成されている。
【００１５】
上記構成の車椅子１は、レバー８、８の操作で車輪５、５よりモップを用いた清掃具１１、１１が離れた状態にして使用する。
【００１６】
屋外より屋内に入る場合、レバー８、８を操作して、車輪５、５にモップを用いた清掃具１１、１１を接触するようにして、車輪５、５をハンドル４、４で回転させることにより、車輪５、５はモップを用いた清掃具１１、１１によってきれいに清掃され、そのまま屋内で使用できる。
【００１７】
車輪５、５が１回転以上したところでレバー８、８を操作して、車輪５、５よりモップを用いた清掃具１１、１１を離すことにより、抵抗なく車輪を回転させることができる。
【００１８】
[考案を実施するための異なる形態]
次に、図６ないし図１１に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１９】
図６ないし図８に示す本考案を実施するための第２の形態において、前記本考案を実施するための第１の形態と主に異なる点は、小さな寸法の一対のカバー１０Ａ、１０Ａと、このカバー１０Ａ、１０Ａをレバー８Ａ、８Ａを押し込むとモップを用いた清掃具１１Ａ、１１Ａが車輪５、５と当接した状態を維持し、再度レバー８Ａ、８Ａを押し込むと、スプリング１９、１９の付勢力で車輪５、５よりモップを用いた清掃具１１Ａ、１１Ａが離れるように構成された位置調整機構９Ａ、９Ａを用いた車輪清掃装置１２Ａ、１２Ａにした点で、このように構成された車輪清掃装置１２Ａ、１２Ａを用いた車椅子１Ａにしても、前記本考案を実施するための第１の形態と同様な作用効果が得られる。
【００２０】
図９ないし図１１に示す本考案を実施するための第３の形態において、前記本考案を実施するための第２の形態と主に異なる点は、カバー１０Ａ、１０Ａにスポンジの清掃具１１Ｂ、１１Ｂを面ファスナー１７、１８で着脱自在に取付ける車輪清掃装置１２Ｂ、１２Ｂを用いた点で、このような車輪清掃装置１２Ｂ、１２Ｂを用いて構成した車椅子１Ｂにしても、前記本考案を実施するための第２の形態と同様な作用効果が得られる。
【産業上の利用可能性】
【００２１】
本考案は車椅子を製造する産業で利用される。
【符号の説明】
【００２２】
１、１Ａ、１Ｂ：車椅子、    ２：椅子、
３：フレーム、      ４：ハンドル、
５：車輪、        ６：補助輪、
７：車椅子本体、      ８、８Ａ：レバー、
９、９Ａ：位置調整機構、    １０、１０Ａ：カバー、
１１、１１Ａ、１１Ｂ：清掃具、１２、１２Ａ：車輪清掃装置、
１３：枢支ピン、      １４：枢支ピン、
１５：枢支金具、      １６：吊り金具、
１７：一方の面ファスナー、  １８：他方の面ファスナー、
１９：スプリング。
【図１】
0003180850.tif 000003
【図２】
0003180850.tif 000004
【図３】
0003180850.tif 000005
【図４】
0003180850.tif 000006
【図５】
0003180850.tif 000007
【図６】
0003180850.tif 000008
【図７】
0003180850.tif 000009
【図８】
0003180850.tif 000010
【図９】
0003180850.tif 000011
【図１０】
0003180850.tif 000012
【図１１】
0003180850.tif 000013
【手続補正書】
【提出日】平成24年11月7日(2012.11.7)
【手続補正１】
【補正対象書類名】実用新案登録請求の範囲
【補正対象項目名】全文
【補正方法】変更
【補正の内容】
【実用新案登録請求の範囲】
【請求項１】
車椅子本体と、この車椅子本体の両車輪の外周部に、該両車輪との間隔をかえることができるように配置された一対のカバー、この一対のカバーに先端部が取り付けられ、かつ該一対のカバーの上部位置の前記車椅子本体のフレームに取り付けられた回動あるいは押し込み操作ができるレバーで一対のカバーと車輪との間隔をかえることができる位置調整機構、前記一対のカバーの前記車輪側に着脱可能に取付けられた、該車輪を清掃する清掃具とからなる車輪清掃装置とを備えることを特徴とする車椅子。
【手続補正２】
【補正対象書類名】明細書
【補正対象項目名】全文
【補正方法】変更
【補正の内容】
【考案の詳細な説明】
【技術分野】
【０００１】
本考案は車椅子に関する。
【背景技術】
【０００２】
従来、車椅子を使用している人が外出する場合には、屋内から車椅子に乗ったまま屋外に出て、帰宅時には屋外から車椅子に乗ったまま屋内に入っていた。
このため、屋外から屋内へ入る場合、車椅子の使用者あるいは介護者が、外出により汚れた車椅子の車輪を清掃しなければならず、その清掃作業が大変で、苦労していた。
このため、建物の出入口の床面に車椅子の掃除機を設置することや、クリップで車椅子本体に車輪清掃具を取付けることも考えられているが、前者は公共施設で設置することができても、家庭では設置費や設置場所の関係で設置することができないという欠点があり、後者のクリップを用いるものは移動中に外れやすいとともに、車椅子が見苦しくなるという欠点があった。
【先行技術文献】
【特許文献】
【０００３】
【特許文献１】特開２００１−１０６０３６号公報
【特許文献２】特開２０００−１６６９７３号公報
【考案の概要】
【考案が解決しようとする課題】
【０００４】
本考案は以上のような従来の欠点に鑑み、車椅子本体に取付けても見苦しくなることなく、簡単な操作で車輪の清掃作業ができ、かつ簡単に取り外すことができない一対のカバーから清掃具を容易に着脱させることができる車椅子を提供することを目的としている。
【０００５】
本考案の前記ならびにそのほかの目的と新規な特徴は次の説明を添付図面と照らし合わせて読むと、より完全に明らかになるであろう。
【０００６】
ただし、図面はもっぱら解説のためのものであって、本考案の技術的範囲を限定するものではない。
【課題を解決するための手段】
【０００７】
上記目的を達成するために、本考案は車椅子本体と、この車椅子本体の両車輪の外周部に、該両車輪との間隔をかえることができるように配置された一対のカバー、この一対のカバーに先端部が取り付けられ、かつ該一対のカバーの上部位置の前記車椅子本体のフレームに取り付けられた回動あるいは押し込み操作ができるレバーで一対のカバーと車輪との間隔をかえることができる位置調整機構、前記一対のカバーの前記車輪側に着脱可能に取付けられた、該車輪を清掃する清掃具とからなる車輪清掃装置とで車椅子を構成している。
【考案の効果】
【０００８】
以上の説明から明らかなように、本考案にあっては次に列挙する効果が得られる。
（１）請求項１により、レバーを用いた位置調整機構によって、一対のカバーに取付けられた清掃具を車輪に接触させて、車輪を回転させることにより、清掃具で車輪を清掃することができる。
（２）前記（１）により、屋外から屋内へ入る場合にだけ、清掃具を車輪に接触させればよいので、従来と同様に車椅子を使用することができる。
（３）前記（１）により、清掃具が汚れると、カバーより外して洗濯等で清掃具をきれいにして使用できる。
（４）前記（１）によって、車椅子本体のフレームにレバーを用いた位置調整機構を介して、一対のカバーが取付けられているので、簡単に外れることなく、安全に使用できるとともに、レバーの操作でカバーを移動させることができ、その操作が容易で、楽にできる。
（５）請求項２も前記（１）〜（４）と同様な効果が得られるとともに、一対のカバーが土よけとしても使用することができる。
【図面の簡単な説明】
【０００９】
【図１】本考案を実施するための第１の形態の側面図。
【図２】本考案を実施するための第１の形態の正面図。
【図３】本考案を実施するための第１の形態のカバーの取付け状態の説明図。
【図４】本考案を実施するための第１の形態の車輪清掃装置の説明図。
【図５】本考案を実施するための第１の形態の清掃している状態の説明図。
【図６】本考案を実施するための第２の形態の側面図。
【図７】本考案を実施するための第２の形態の正面図。
【図８】本考案を実施するための第２の形態の車輪清掃装置の説明図。
【図９】本考案を実施するための第３の形態の側面図。
【図１０】本考案を実施するための第３の形態の正面図。
【図１１】車輪清掃装置の説明図。
【考案を実施するための形態】
【００１０】
以下、図面に示す本考案を実施するための形態により、本考案を詳細に説明する。
【００１１】
図１ないし図５に示す本考案を実施するための第１の形態において、１は本考案の車椅子で、この車椅子１は椅子２のフレーム３、このフレーム３の両側後部に回転可能に取付けられたハンドル４、４を備える車輪５、５、前記フレーム３の前方下部に取付けられた補助輪６、６とからなる車椅子本体７と、この車椅子本体７の両車輪５、５の外周部に、該両車輪５、５の間隔をかえることができるレバー８、８を用いた位置調整機構９、９を介して、該車椅子本体７のフレーム３に取付けられた土よけとして使用できる一対のカバー１０、１０、この一対のカバー１０、１０の前記車輪５、５側に着脱可能に取付けられた、該車輪５、５を清掃するモップを用いた清掃具１１、１１とからなる車輪清掃装置１２、１２とで構成されている。
【００１２】
前記車輪清掃装置１２、１２の位置調整機構９、９は、前記フレーム３に枢支ピン１３で中央部よりも下部側が枢支されたレバー８と、このレバー８の先端部に枢支ピン１４で枢支された前記カバー１０の先端部の上面に取付けられた枢支金具１５と、前記カバー１０の後部寄りの上面に一端部が取付けられ、他端部が前記フレーム３に取付けられた吊り金具１６とで構成されている。
【００１３】
前記一対のカバー１０、１０に着脱可能に取付けられるモップを用いた清掃具１１、１１は、該一対のカバー１０、１０の内壁面に接着剤等で固定された一方の面ファスナー１７と、この一方の面ファスナー１７と着脱可能なモップを用いた清掃具１１の背面に接着あるいは縫着固定された他方の面ファスナー１８を用いて着脱できるように構成されている。
上記構成の車椅子１は、レバー８、８の操作で車輪５、５よりモップを用いた清掃具１１、１１が離れた状態にして使用する。
屋外より屋内に入る場合、レバー８、８を操作して、車輪５、５にモップを用いた清掃具１１、１１を接触するようにして、車輪５、５をハンドル４、４で回転させることにより、車輪５、５はモップを用いた清掃具１１、１１によってきれいに清掃され、そのまま屋内で使用できる。
【００１４】
車輪５、５が１回転以上したところでレバー８、８を操作して、車輪５、５よりモップを用いた清掃具１１、１１を離すことにより、抵抗なく車輪を回転させることができる。
【００１５】
[考案を実施するための異なる形態]
次に、図６ないし図１１に示す本考案を実施するための異なる形態につき説明する。なお、これらの本考案を実施するための異なる形態の説明に当って、前記本考案を実施するための第１の形態と同一構成部分には同一符号を付して重複する説明を省略する。
【００１６】
図６ないし図８に示す本考案を実施するための第２の形態において、前記本考案を実施するための第１の形態と主に異なる点は、小さな寸法の一対のカバー１０Ａ、１０Ａと、このカバー１０Ａ、１０Ａをレバー８Ａ、８Ａを押し込むとモップを用いた清掃具１１Ａ、１１Ａが車輪５、５と当接した状態を維持し、再度レバー８Ａ、８Ａを押し込むと、スプリング１９、１９の付勢力で車輪５、５よりモップを用いた清掃具１１Ａ、１１Ａが離れるように構成された位置調整機構９Ａ、９Ａを用いた車輪清掃装置１２Ａ、１２Ａにした点で、このように構成された車輪清掃装置１２Ａ、１２Ａを用いた車椅子１Ａにしても、前記本考案を実施するための第１の形態と同様な作用効果が得られる。
【００１７】
図９ないし図１１に示す本考案を実施するための第３の形態において、前記本考案を実施するための第２の形態と主に異なる点は、カバー１０Ａ、１０Ａにスポンジの清掃具１１Ｂ、１１Ｂを面ファスナー１７、１８で着脱自在に取付ける車輪清掃装置１２Ｂ、１２Ｂを用いた点で、このような車輪清掃装置１２Ｂ、１２Ｂを用いて構成した車椅子１Ｂにしても、前記本考案を実施するための第２の形態と同様な作用効果が得られる。
【産業上の利用可能性】
【００１８】
本考案は車椅子を製造する産業で利用される。
【符号の説明】
【００１９】
１、１Ａ、１Ｂ：車椅子、    ２：椅子、
３：フレーム、      ４：ハンドル、
５：車輪、        ６：補助輪、
７：車椅子本体、      ８、８Ａ：レバー、
９、９Ａ：位置調整機構、    １０、１０Ａ：カバー、
１１、１１Ａ、１１Ｂ：清掃具、１２、１２Ａ：車輪清掃装置、
１３：枢支ピン、      １４：枢支ピン、
１５：枢支金具、      １６：吊り金具、
１７：一方の面ファスナー、  １８：他方の面ファスナー、
１９：スプリング。